(57)【要約】【課題】感光ドラムの軸線方向から入力された駆動力によって、軸線方向と交差する交差方向に付着物を搬送する第２搬送部材を駆動することができる画像形成装置を提供すること。【解決手段】  装置本体２と、複数の感光ドラム１１と、装置本体２に収容される装着位置と、装置本体２の外方に配置される引出位置とを移動するドラムユニット９とを備えるプリンタ１において、複数の感光ドラム１１のそれぞれに付着した付着物を除去する複数のクリーニングブレード８２と、複数のクリーニングブレード８２のそれぞれが除去した付着物を右方に搬送する複数の第１スクリュー８３と、複数の第１スクリュー８３のそれぞれが搬送した付着物を後方に搬送する第２スクリュー５７とを設け、ウォームギア９４を有し、左右方向に延びる中心軸線Ａ３について回転する回転部材９１により、第２スクリュー５７を駆動させる第２スクリューギア５８に駆動力を伝達する。【選択図】図８
2015194653.tif 000002
【特許請求の範囲】
【請求項１】
装置本体と、
互いに間隔を隔てて配置される複数の感光ドラムと、
前記装置本体に収容される収容位置と、前記装置本体の外方に配置される外方位置とに移動するように構成される支持部材と、
前記複数の感光ドラムのそれぞれに付着した付着物を除去するように構成される複数のクリーニング部材と、
前記複数のクリーニング部材のそれぞれが除去した付着物を、前記複数の感光ドラムのそれぞれの軸線方向に搬送する複数の第１搬送部材と、
前記複数の第１搬送部材のそれぞれが搬送した付着物を、前記軸線方向と交差する交差方向に搬送する第２搬送部材と、
駆動力を受けるように構成される第１駆動受け部と、
前記第１駆動受け部からの駆動力によって、前記軸線方向に延びる第１回転軸線について回転するように構成される第１駆動伝達部材と、
前記交差方向に延びる第２回転軸線について回転するように構成され、前記第１駆動伝達部材からの駆動力を前記第２搬送部材に伝達する第２駆動伝達部材と
を備えることを特徴とする、画像形成装置。
【請求項２】
前記第１駆動伝達部材は、ウォームギアを有し、
前記第２駆動伝達部材は、前記ウォームギアに噛み合うはす歯ギアを有することを特徴とする、請求項１に記載の画像形成装置。
【請求項３】
前記第１駆動伝達部材は、第１の傘歯ギアを有し、
前記第２駆動伝達部材は、前記第１の傘歯ギアに噛み合う第２の傘歯ギアを有することを特徴とする、請求項１に記載の画像形成装置。
【請求項４】
前記複数の感光ドラムのそれぞれは、現像剤像を担持するように構成される本体部を有し、
前記第１駆動受け部は、前記複数の感光ドラムのそれぞれの本体部よりも前記軸線方向の一方に配置され、
前記第２搬送部材は、前記複数の感光ドラムのそれぞれの本体部よりも前記軸線方向の一方とは反対側の他方に配置され、
前記第１駆動伝達部材は、前記第１駆動受け部と前記第２駆動伝達部材とを接続するように、前記軸線方向に延びていることを特徴とする、請求項１〜３のいずれか一項に記載の画像形成装置。
【請求項５】
前記第１搬送部材は、前記軸線方向の一方端部において駆動力を受けることを特徴とする、請求項４に記載の画像形成装置。
【請求項６】
前記支持部材は、前記第１駆動伝達部材の前記軸線方向両端部を支持することを特徴とする、請求項４または５に記載の画像形成装置。
【請求項７】
前記複数の感光ドラムのそれぞれは、前記軸線方向外方から駆動力を受けるように構成される第２駆動受け部を有し、
前記第１駆動受け部は、前記第２駆動受け部と同じ方向から駆動力を受けるように構成されていることを特徴とする、請求項１〜６のいずれか一項に記載の画像形成装置。
【請求項８】
前記複数の感光ドラムのそれぞれは、前記第２駆動受け部が受けた駆動力を前記複数の第１搬送部材のそれぞれに伝達する第１ギアを備え、
前記複数の第１搬送部材のそれぞれは、前記第１ギアと噛み合う第２ギアを備えることを特徴とする、請求項７に記載の画像形成装置。
【請求項９】
前記第１駆動伝達部材は、前記複数の感光ドラムのそれぞれの並列方向において、前記複数の感光ドラムよりも外方に配置されていることを特徴とする、請求項１〜８のいずれか一項に記載の画像形成装置。
【請求項１０】
前記第１駆動受け部は、前記軸線方向外方から駆動力を受けるように構成されるカップリング部を有することを特徴とする、請求項１〜９のいずれか一項に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、イエロー、マゼンタ、シアンおよびブラックの各色に対応する複数の像担持体を備える、いわゆるタンデム型のカラープリンタが知られている。
【０００３】
このようなタンデム型のカラープリンタとして、このようなカラープリンタとして、感光ドラムを支持する複数のプロセスカートリッジと、各プロセスカートリッジを支持するフレームと、各プロセスカートリッジからの廃トナーを廃トナー収容箱へ搬送する感光体廃トナー搬送管とを備える画像形成装置が提案されている（例えば、下記特許文献１参照）。
【先行技術文献】
【特許文献】
【０００４】
【特許文献１】特開２０１０−８４７２号公報
【発明の概要】
【発明が解決しようとする課題】
【０００５】
上記した特許文献１に記載されるような画像形成装置において、感光体廃トナー搬送管内のオーガに駆動力を入力することが検討される。
【０００６】
そこで、本発明の目的は、感光ドラムの軸線方向から入力された駆動力によって、軸線方向と交差する交差方向に付着物を搬送する第２搬送部材を駆動することができる画像形成装置を提供することにある。
【課題を解決するための手段】
【０００７】
（１）本発明の画像形成装置は、装置本体と、互いに間隔を隔てて配置される複数の感光ドラムと、装置本体に収容される収容位置と、装置本体の外方に配置される外方位置とに移動するように構成される支持部材と、複数の感光ドラムのそれぞれに付着した付着物を除去するように構成される複数のクリーニング部材と、複数のクリーニング部材のそれぞれが除去した付着物を、複数の感光ドラムのそれぞれの軸線方向に搬送する複数の第１搬送部材と、複数の第１搬送部材のそれぞれが搬送した付着物を、軸線方向と交差する交差方向に搬送する第２搬送部材と、駆動力を受けるように構成される第１駆動受け部と、駆動受け部からの駆動力によって、軸線方向に延びる第１回転軸線について回転するように構成される第１駆動伝達部材と、交差方向に延びる第２回転軸線について回転するように構成され、第１駆動伝達部材からの駆動力を第２搬送部材に伝達する第２駆動伝達部材とを備える。
【０００８】
このような構成によれば、第１駆動伝達部材は、軸線方向外方から第１駆動受け部に入力された駆動力によって、軸線方向に延びる第１回転軸線について回転する。すると、第２駆動伝達部材は、第１駆動伝達部材からの駆動力にによって、軸線方向と交差する交差方向に延びる第２回転軸線について回転する。
【０００９】
これにより、感光ドラムの軸線方向から入力された駆動力によって、軸線方向と交差する交差方向に付着物を搬送する第２搬送部材を駆動することができる。
（２）第１駆動伝達部材は、ウォームギアを有してもよい。第２駆動伝達部材は、ウォームギアに噛み合うはす歯ギアを有してもよい。
【００１０】
このような構成によれば、第１駆動伝達部材にウォームギアを設け、第２駆動伝達部材にはす歯を設けるという簡易な構成で、軸線方向から入力された駆動力を第２搬送部材に伝達することができる。
（３）第１駆動伝達部材は、第１の傘歯ギアを有し、第２駆動伝達部材は、第１の傘歯ギアに噛み合う第２の傘歯ギアを有してもよい。
【００１１】
このような構成によれば、第１駆動伝達部材と第２駆動伝達部材とに、互いに噛み合う傘歯ギアを設けるという簡易な構成で、軸線方向から入力された駆動力を第２搬送部材に伝達することができる。
（４）複数の感光ドラムのそれぞれは、現像剤像を担持するように構成される本体部を有してもよい。第１駆動受け部は、複数の感光ドラムのそれぞれの本体部よりも軸線方向の一方に配置されてもよい。第２搬送部材は、複数の感光ドラムのそれぞれの本体部よりも軸線方向の一方とは反対側の他方に配置されてもよい。第１駆動伝達部材は、第１駆動受け部と第２駆動伝達部とを接続するように、軸線方向に延びていてもよい。
【００１２】
このような構成によれば、軸線方向において、感光ドラムの本体部に対して、第１駆動受け部と反対側に第２搬送部材が配置される構成において、軸線方向の一方から入力された駆動力を、軸線方向の他方の第２搬送部材に伝達することができる。
（５）第１搬送部材は、軸線方向の一方端部において駆動力を受けてもよい。
【００１３】
このような構成によれば、第１搬送部材に入力される駆動力と同じ軸線方向の一方から第１駆動受け部に駆動力を入力し、第２搬送部材を駆動することができる。
【００１４】
その結果、装置本体からの駆動力をうける構成を、軸線方向の一方に集約することができる。
（６）支持部材は、第１駆動伝達部材の軸線方向両端部を支持してもよい。
【００１５】
このような構成によれば、第１駆動伝達部材を、軸線方向にわたって安定に支持することができる。
（７）複数の感光ドラムのそれぞれは、軸線方向外方から駆動力を受けるように構成される第２駆動受け部を有してもよい。第１駆動受け部は、第２駆動受け部と同じ方向から駆動力を受けるように構成されてもよい。
【００１６】
このような構成によれば、感光ドラムに駆動力が入力される方向と同じ方向から第１駆動受け部に入力し、第２搬送部材を駆動することができる。
【００１７】
その結果、装置本体からの駆動力をうける構成を、軸線方向の一方に集約することができる。
（８）複数の感光ドラムのそれぞれは、第２駆動受け部が受けた駆動力を複数の第１搬送部材のそれぞれに伝達する第１ギアを備えてもよい。複数の第１搬送部材のそれぞれは、第１ギアと噛み合う第２ギアを備えてもよい。
【００１８】
このような構成によれば、簡易な構成で、感光ドラムに入力された駆動力を利用して第１搬送部材を駆動させることができる。
（９）第１駆動伝達部材は、複数の感光ドラムのそれぞれの並列方向において、複数の感光ドラムよりも外方に配置されていてもよい。
【００１９】
このような構成によれば、複数の感光ドラムの並列方向の外方のスペースを利用して、第１駆動伝達部材を効率よく配置することができる。
（１０）第１駆動受け部は、軸線方向外方から駆動力を受けるように構成されるカップリング部を有してもよい。
【００２０】
このような構成によれば、簡易な構成で、軸線方向外方から駆動力を第１駆動受け部で受けて、軸線方向に延びる第１回転軸線について第１駆動伝達部材を回転させることができる。
【発明の効果】
【００２１】
本発明の画像形成装置によれば、感光ドラムの軸線方向から入力された駆動力によって、軸線方向と交差する交差方向に付着物を搬送する第２搬送部材を駆動することができる。
【図面の簡単な説明】
【００２２】
【図１】図１は、本発明の画像形成装置の一実施形態を示すプリンタの中央断面図である。
【図２】図２は、図１に示すドラムユニットの右後方から見た斜視図である。
【図３】図３は、図２に示すドラムユニットの左後方から見た斜視図である。
【図４】図４は、図２に示すドラムユニットの前板、後板および外側板を取り外した状態を示す右前方から見た斜視図である。
【図５】図５は、図４に示すドラムユニットの右前方から見た分解斜視図である。
【図６】図６Ａは、図４に示すドラムユニットの正面図である。図６Ｂは、図４に示すドラムユニットのＡ−Ａ断面図である。
【図７】図７Ａは、図６Ａに示すドラムユニットのＢ−Ｂ断面図である。図７Ｂは、図６Ａに示すドラムユニットのＣ−Ｃ断面図である。
【図８】図８は、図７Ｂに示す第１スクリューおよび第２スクリューへの駆動伝達を説明する説明図である。
【図９】図９Ａは、図７Ｂに示す搬送管のシャッタを説明する説明図であって、シャッタが閉位置に位置した状態を示す。図９Ｂは、図７Ｂに示す搬送管のシャッタを説明する説明図であって、シャッタが開位置に位置した状態を示す。
【図１０】図１０Ａは、装置本体に対するドラムユニットの着脱動作を説明する説明図であり、ドラムユニットが装着位置に位置した状態を示す。図１０Ｂは、図１０Ａに続いて装置本体に対するドラムユニットの着脱動作を説明する説明図であり、装置本体のフロントカバーが開放されて、ドラムユニットの後端部がわずかに上方へ移動した状態を示す。
【図１１】図１１Ａは、図１０Ｂに続いて装置本体に対するドラムユニットの着脱動作を説明する説明図であり、ドラムユニットが離間位置に位置し、シャッタがわずかに開位置から閉位置へ移動した状態を示す。図１１Ｂは、図１１Ａに続いて装置本体に対するドラムユニットの着脱動作を説明する説明図であり、ドラムユニットが外方位置に位置した状態を示す。
【図１２】図１２は、第１の変形例を説明する説明図である。
【図１３】図１３Ａは、第２の変形例を説明する説明図であって、ドラムユニットが装着位置に位置し、シャッタが開位置に位置した状態を示す。図１３Ｂは、図１３Ａとともに第２の変形例を説明する説明図であって、ドラムユニットが離間位置に位置し、シャッタが閉位置に位置した状態を示す。
【図１４】図１４は、第３の変形例を説明する説明図であって、中間転写タイプの画像形成装置を示す。
【発明を実施するための形態】
【００２３】
１．プリンタの全体構成
図１に示すように、プリンタ１は、横置きタイプのダイレクトタンデム型カラーレーザプリンタである。
【００２４】
なお、以下の説明において、方向について言及する場合には、プリンタ１を水平に載置した状態を上下の基準とする。すなわち、図１の紙面上方が上方であり、図１の紙面下方が下方である。また、図１の紙面左方が前方であり、図１の紙面右方が後方である。また、プリンタ１を前方から見たときを左右の基準とする。すなわち、図１の紙面手前が右方であり、紙面奥が左方である。
【００２５】
プリンタ１は、装置本体２と、プロセスユニット３と、スキャナユニット４と、転写ユニット５と、定着ユニット６とを備えている。
【００２６】
装置本体２は、略ボックス形状に形成されている。装置本体２は、開口部２１と、フロントカバー２２と、給紙トレイ７と、排紙トレイ８とを有している。
【００２７】
開口部２１は、装置本体２の前端部に配置されている。開口部２１は、プロセスユニット３の通過を許容するように、装置本体２の内外を前後方向に連通している。
【００２８】
フロントカバー２２は、装置本体２の前端部に配置されている。フロントカバー２２は、略平板形状を有している。フロントカバー２２は、上下方向に延び、その下端部を支点として装置本体２の前壁に揺動可能に支持されている。フロントカバー２２は、開口部２１を開放または閉鎖するように構成されている。
【００２９】
給紙トレイ７は、装置本体２の底部に配置されている。給紙トレイ７は、用紙Ｐを収容するように構成されている。
【００３０】
排紙トレイ８は、装置本体２の上壁に配置されている。排紙トレイ８は、用紙Ｐが載置されるように、装置本体２の上面から下方へ凹んでいる。
【００３１】
プロセスユニット３は、装置本体２の中央に配置されている。プロセスユニット３は、開口部２１を介して、装置本体２内に装着される装着位置と、装置本体２外に引き出される引出位置とに移動可能である。プロセスユニット３は、ドラムユニット９と、複数の現像カートリッジ１０とを備えている。
【００３２】
ドラムユニット９は、複数の感光ドラム１１と、複数のスコロトロン型帯電器１２とを備えている。
【００３３】
複数の感光ドラム１１のそれぞれは、プロセスユニット３の下端部に回転可能に支持されている。複数の感光ドラム１１のそれぞれは、イエロー、マゼンタ、シアン、ブラックのそれぞれに対応している。複数の感光ドラム１１のそれぞれは、前方から後方に向かって、イエロー、マゼンタ、シアン、ブラックの順に互いに間隔を隔てて並列配置されている。複数の感光ドラム１１のそれぞれは、左右方向に延びる略円筒形状を有している。
【００３４】
複数のスコロトロン型帯電器１２のそれぞれは、複数の感光ドラム１１のそれぞれに対応し、対応する感光ドラム１１の後上方に間隔を隔てて配置されている。
【００３５】
複数の現像カートリッジ１０のそれぞれは、複数の感光ドラム１１のそれぞれに対応し、対応する感光ドラム１１の上方に配置されている。複数の現像カートリッジ１０のそれぞれは、現像ローラ１３と、供給ローラ１４とを備えている。また、現像カートリッジ１０は、現像ローラ１３および供給ローラ１４の上方の空間において、各色に対応するトナーを収容している。
【００３６】
現像ローラ１３は、現像カートリッジ１０の下端部において、後方へ露出するように回転可能に支持されている。また、現像ローラ１３は、感光ドラム１１の前上端部に接触している。
【００３７】
供給ローラ１４は、現像ローラ１３の前上方に配置されている。供給ローラ１４は、現像ローラ１３の前上端部に接触している。
【００３８】
スキャナユニット４は、装置本体２の上端部に配置されている。スキャナユニット４は、図１に実線で示すように、感光ドラム１１に向かって、画像データに基づいてレーザービームを出射し、感光ドラム１１を露光する。
【００３９】
転写ユニット５は、プロセスユニット３の下方に配置されている。転写ユニット５は、駆動ローラ１５、従動ローラ１６と、搬送ベルト１７と、複数の転写ローラ１８とを備えている。
【００４０】
駆動ローラ１５は、転写ユニット５の後端部に配置されている。
【００４１】
従動ローラ１６は、駆動ローラ１５の前方に間隔を隔てて対向配置されるように、転写ユニット５の前端部に配置されている。
【００４２】
搬送ベルト１７は、その上方部分がすべての感光ドラム１１と接触するように、駆動ローラ１５および従動ローラ１６の周りに巻回されている。搬送ベルト１７は、駆動ローラ１５の駆動、および、従動ローラ１６の従動により、その上方部分が前方から後方へ向かって移動するように、周回移動される。
【００４３】
複数の転写ローラ１８のそれぞれは、複数の感光ドラム１１のそれぞれに対応し、対応する感光ドラム１１の下方において、搬送ベルト１７の上方部分を挟んで配置されている。
【００４４】
定着ユニット６は、転写ユニット５の後方に配置され、加熱ローラ１９、および、加熱ローラ１９に接触する加圧ローラ２０を備えている。
【００４５】
そして、プリンタ１が画像形成動作を開始すると、スコロトロン型帯電器１２は、感光ドラム１１の表面を一様に帯電する。その後、スキャナユニット４は、感光ドラム１１の表面を露光する。これにより、画像データに基づく静電潜像が、感光ドラム１１の表面に形成される。
【００４６】
また、供給ローラ１４は、現像カートリッジ１０内のトナーを現像ローラ１３に供給する。このとき、トナーは、現像ローラ１３と供給ローラ１４との間で正極性に摩擦帯電され、現像ローラ１３上に担持される。
【００４７】
そして、現像ローラ１３は、担持されたトナーを、感光ドラム１１の表面上の静電潜像に供給する。これにより、トナー像が、感光ドラム１１の表面上に担持される。
【００４８】
用紙Ｐは、各種ローラの回転により、給紙トレイ７から前上方へ搬送された後、後上方へＵターンされて、所定のタイミングで１枚ずつ、イエローの感光ドラム１１と搬送ベルト１７との間に給紙される。その後、用紙Ｐは、搬送ベルト１７によって前方から後方へ向かって搬送される。感光ドラム１１上のトナー像は、用紙Ｐが感光ドラム１１と転写ローラ１８との間を通過するときに、用紙Ｐに転写される。
【００４９】
その後、用紙Ｐは、加熱ローラ１９と加圧ローラ２０との間を通過するときに加熱および加圧される。このとき、用紙Ｐ上のトナー像は、用紙Ｐに熱定着される。その後、用紙Ｐは、排紙トレイ８に排紙される。
２．ドラムユニットの詳細
ドラムユニット９は、上記し、図２および図４に示すように、平面視略矩形の枠形状を有している。ドラムユニット９は、１対の内側板３１、上記した複数の感光ドラム１１、複数の軸受部材３３、ドラムクリーニングユニット３０、回転部材９１、前板３４、後板３５、および１対の外側板３６を備えている。
（１）内側板
１対の内側板３１のそれぞれは、図４に示すように、互いに左右方向に間隔を隔てて、ドラムユニット９の左右方向両端部のそれぞれに配置されている。１対の内側板３１のそれぞれは、前後方向に長い側面視略矩形の平板形状を有している。１対の内側板３１のそれぞれは、同一のプレス型を用いて金属板をプレス加工することによって得られ、互いに同一の形状を有している。１対の内側板３１のそれぞれは、図５に示すように、複数の貫通穴３７と、複数のボス挿通穴２８と、複数のねじ挿通穴２９と、切欠部６９とを有している。
【００５０】
複数の貫通穴３７のそれぞれは、前後方向に互いに等間隔を隔てて配置されている。複数の貫通穴３７のそれぞれは、複数の感光ドラム１１のそれぞれに対応して、具体的には、４つ配置されている。複数の貫通穴３７のそれぞれは、側面視略円形状を有している。
【００５１】
複数のボス挿通穴２８のそれぞれは、複数の貫通穴３７のそれぞれの後上方に配置されている。複数のボス挿通穴２８のそれぞれは、内側板３１を左右方向に貫通し、前後方向に延びる側面視略長穴形状を有している。
【００５２】
複数のねじ挿通穴２９のそれぞれは、複数のボス挿通穴２８のそれぞれの後下方に配置されている。複数のボス挿通穴２８のそれぞれは、内側板３１を左右方向に貫通し、側面視略円形状を有している。
【００５３】
切欠部６９は、内側板３１の後端部に配置されている。切欠部６９は、内側板３１の後端縁から前方へ向かって切り欠かれている。切欠部６９は、後端部が開放された側面視略Ｖ字形状を有している。
（２）感光ドラムおよび軸受部材
複数の感光ドラム１１のそれぞれは、図５および図６Ａに示すように、ドラム本体４１と、１対のフランジ部材４２と、ドラムカップリング４５とを備えている。
【００５４】
ドラム本体４１は、１対の内側板３１の間に配置されている。ドラム本体４１は、左右に延びる略円筒形状の金属管であり、外周面において感光層を有している。ドラム本体４１の左右方向両端部のそれぞれは、１対の内側板３１の左右方向内方に間隔Ｄを隔てて配置されている。
【００５５】
１対のフランジ部材４２のそれぞれは、ドラム本体４１の左右両端部のそれぞれに相対回転不能に嵌まっている。なお、以下の説明において、フランジ部材４２の左右に言及するときには、左方のフランジ部材４２を左フランジ部材４２Ｌと記載し、右方のフランジ部材４２を右フランジ部材４２Ｒと記載する。１対のフランジ部材４２のそれぞれは、大径部４３と、小径部４４とを備えている。
【００５６】
大径部４３は、フランジ部材４２の左右方向内端部に配置されている。大径部４３は、左右方向外端部が閉鎖された略円筒形状を有している。大径部４３の外径は、ドラム本体４１の内径とほぼ同じである。大径部４３は、左右方向外端部がドラム本体４１の左右方向外方に露出されるように、ドラム本体４１内に挿入されている。左フランジ部材４２Ｌの大径部４３は、ギア部４３Ａを有している。
【００５７】
ギア部４３Ａは、左フランジ部材４２Ｌの大径部４３の左端部に配置されている。ギア部４３Ａは、左右方向に厚みを有する略円板形状を有している。ギア部４３Ａは、周面すべてにわたってギア歯を有している。
【００５８】
小径部４４は、大径部４３の左右方向外壁から左右方向外方へ突出されている。小径部４４は、大径部４３と中心軸線を共有する略円筒形状を有している。小径部４４の外径は、大径部４３の外径よりも小さい。
【００５９】
ドラムカップリング４５は、感光ドラム１１の左端部に配置されている。ドラムカップリング４５は、カップリング部４５Ａと、鍔部４５Ｂとを備えている。
【００６０】
カップリング部４５Ａは、内側板３１の左方（左右方向外方）において、ドラムカップリング４５の左端部に配置されている。カップリング部４５Ａは、左フランジ部材４２Ｌの小径部４４よりも大径な略円板形状を有している。カップリング部４５Ａは、装置本体２内の本体カップリング７１と相対回転不能に嵌合するように構成されている。
【００６１】
鍔部４５Ｂは、カップリング部４５Ａの右端部の外周面から径方向外方に突出し、カップリング部４５Ａの周方向に延びている。鍔部４５Ｂは、略円環形状を有している。鍔部４５Ｂは、左方の外側板３６の貫通穴３６Ａ（後述）の周縁部と、左方の内側板３１との間に配置されている。これにより、ドラムカップリング４５は、左方のフランジ部材４２の小径部４４から左方に離脱することを規制されている。
【００６２】
なお、ドラムカップリング４５は、カップリング部４５Ａの右面から右方へ延びる図示しない軸部を有し、軸部において左方のフランジ部材４２の小径部４４に、離脱可能かつ相対回転不能に嵌まっている。
【００６３】
複数の軸受部材３３のそれぞれは、複数の感光ドラム１１のそれぞれに対応して、具体的には、４対、配置されている。１対の軸受部材３３のそれぞれは、対応する感光ドラム１１の左右方向両端部のそれぞれを支持する。複数の軸受部材３３のそれぞれは、筒部３３Ａと、鍔部３３Ｂとを備えている。
【００６４】
筒部３３Ａは、左右方向に延びる略円筒形状を有している。筒部３３Ａの内径は、フランジ部材４２の小径部４４の外径とほぼ同じである。筒部３３Ａの外径は、内側板３１の貫通穴３７の複数の平面に内接する内接円の直径とほぼ同じである。筒部３３Ａは、フランジ部材４２の小径部４４に径方向外方から相対回転可能に嵌まっている。また、筒部３３Ａは、内側板３１の貫通穴３７と、クリーナフレーム８１の壁部８６の挿通穴９０に嵌まっている。
【００６５】
鍔部３３Ｂは、筒部３３Ａの左右方向外端部の外周面から径方向外方に突出し、筒部３３Ａの周方向に延びている。鍔部３３Ｂは、略円環形状を有している。鍔部３３Ｂは、内側板３１の左右方向外面に左右方向外方から接触している。
（３）ドラムクリーニングユニット
ドラムクリーニングユニット３０は、複数のドラムクリーナ３２と、廃トナー搬送部材５１と、複数のシール部材６１とを備えている。
（３−１）ドラムクリーナ
複数のドラムクリーナ３２のそれぞれは、図６Ｂおよび図７Ａに示すように、複数の感光ドラム１１のそれぞれに対応し、対応する感光ドラム１１の後方に配置されている。複数のドラムクリーナ３２のそれぞれは、クリーナフレーム８１と、クリーニングブレード８２と、第１スクリュー８３と、除電部材８４とを備えている。
【００６６】
クリーナフレーム８１は、本体部８５と、１対の壁部８６と、１対のボス８１Ａ（図５参照）と、１対のねじ穴８１Ｂ（図５参照）とを備えている。
【００６７】
本体部８５は、クリーナフレーム８１の後端部に配置されている。本体部８５は、左右方向に延び、左右方向両端部が閉鎖された略角筒形状を有している。本体部８５は、ブレード支持部８７と、廃トナー搬送部８８と、ギア収容部７９と、除電部材支持部８９とを有している。
【００６８】
ブレード支持部８７は、本体部８５の上端部に配置されている。ブレード支持部８７は、左右方向に延びる略板形状を有している。
【００６９】
廃トナー搬送部８８は、ブレード支持部８７の下方に配置されている。廃トナー搬送部８８は、左右方向に延び、左端部が閉鎖され、右端部と前端部とが開放された略半円筒形状を有している。廃トナー搬送部８８の上端部は、ブレード支持部８７の下端部に連続している。
【００７０】
ギア収容部７９は、廃トナー搬送部８８の左方に配置されている。ギア収容部７９は、左右方向に延び、左右両端部が閉鎖され、前端部が開放された略半円筒形状を有している。
【００７１】
除電部材支持部８９は、廃トナー搬送部８８の下方に配置されている。除電部材支持部８９は、左右方向に延び、前端部が開放された略角筒形状を有している。除電部材支持部８９の上端部は、廃トナー搬送部８８の下端部に連続している。
【００７２】
１対の壁部８６のそれぞれは、クリーナフレーム８１の左右方向両端部のそれぞれに配置されている。１対の壁部８６のそれぞれは、本体部８５の左右方向両端部のそれぞれから前方へ延びる略板形状を有している。１対の壁部８６のそれぞれは、１対の内側板３１のそれぞれの内面に接触している。１対の壁部８６のそれぞれは、図５に示すように、挿通穴９０を有している。
【００７３】
挿通穴９０は、壁部８６の略中央に配置されている。挿通穴９０は、側面視略円形状を有している。挿通穴９０は、左右方向に投影したときに、内側板３１の貫通穴３７と一致する。
【００７４】
１対のボス８１Ａのそれぞれは、クリーナフレーム８１の左右方向両端部のそれぞれに配置されている。１対のボス８１Ａのそれぞれは、本体部８５の左右方向外面から左右方向外方へ突出する略円柱形状を有している。１対のボス８１Ａのそれぞれは、対応する内側板３１のボス挿通穴２８内に嵌まっている。
【００７５】
１対のねじ穴８１Ｂのそれぞれは、１対のボス８１Ａのそれぞれの後下方に配置されている。１対のねじ穴８１Ｂのそれぞれは、本体部８５の左右方向外面から左右方向内方へ凹み、側面視略円形状を有している。
【００７６】
クリーニングブレード８２は、支持部材８２Ａと、ブレード本体８２Ｂとを備えている。
【００７７】
支持部材８２Ａは、金属からなり、左右方向に延びる略板形状を有している。支持部材８２Ａは、クリーナフレーム８１のブレード支持部８７に固定されている。
【００７８】
ブレード本体８２Ｂは、ゴムなどの弾性部材からなり、左右方向に延びる略板形状を有している。ブレード本体８２Ｂの上端部は、支持部材８２Ａに固定されている。ブレード本体８２Ｂの下端部は、廃トナー搬送部８８の上方半分を被覆するように、廃トナー搬送部８８の前方に向かい合っている。また、ブレード本体８２Ｂの下端部は、後方に湾曲した状態で、感光ドラム１１のドラム本体４１の後端部に接触している。
【００７９】
第１スクリュー８３は、廃トナー搬送部８８内に配置されている。第１スクリュー８３は、左右方向に延びるオーガスクリューである。第１スクリュー８３の左端部は、ギア収容部７９と廃トナー搬送部８８との間の壁に相対回転可能に支持されている。また、第１スクリュー８３の左端部は、ギア収容部７９と廃トナー搬送部８８との間を貫通して、ギア収容部７９内に配置されている。第１スクリュー８３は、第１スクリューギア８０を備えている。
【００８０】
第１スクリューギア８０は、ギア収容部７９内において、第１スクリュー８３の左端部に相対回転不能に支持されている。第１スクリューギア８０は、左右方向に延びる略円柱形状を有し、その周面すべてにわたってギア歯を有している。第１スクリューギア８０は、感光ドラム１１の左方のフランジ部材４２の大径部４３に噛み合っている（図８参照）。
【００８１】
除電部材８４は、除電部材支持部８９内に固定されている。除電部材８４は、左右方向に延びる半円柱形状を有している。除電部材８４の前面は、上下方向中央が前方へ膨出するように、側面視略円弧形状を有している。除電部材８４の前面の曲率中心Ａ１は、対応する第１スクリュー８３の回転中心Ａ２よりも前方に配置されている。言い換えると、第１スクリュー８３の回転中心Ａ２は、前後方向において、対応する除電部材８４の前面の曲率中心Ａ１よりも、対応する感光ドラム１１の反対側に配置されている。除電部材８４は、用紙Ｐにトナー像を転写した後の感光ドラム１１の表面を、対応するクリーニングブレード８２が付着物を除去する前に露光し、対応する感光ドラム１１の表面の電荷を低減する。
（３−２）廃トナー搬送部材およびシール部材
廃トナー搬送部材５１は、図５および図６Ａに示すように、感光ドラム１１のドラム本体４１と、右方の内側板３１との間隔Ｄに配置されている。廃トナー搬送部材５１は、搬送管５２と、複数の接続部５３と、第２スクリュー５７（図６Ｂ参照）と、第２スクリューギア５８とを備えている。
【００８２】
搬送管５２は、前後方向に延び、前後方向両端部が閉鎖された略円筒形状を有する。
搬送管５２は、内側板３１の下端縁Ｅよりも上方に配置されている。また、搬送管５２は、上下方向に投影したときに、右フランジ部材４２Ｒの小径部４４、および、除電部材８４の右端部と重なる。また、搬送管５２の上方半分は、左右方向に投影したときに、ドラム本体４１の下端部と重なる。搬送管５２は、図９Ａおよび図９Ｂに示すように、開口５９と、シャッタ６０とを有している。
【００８３】
開口５９は、搬送管５２の後端部に配置されている。開口５９は、搬送管５２の下側周壁を上下方向に貫通し、底面視略矩形状を有している。
【００８４】
シャッタ６０は、搬送管５２の後端部に配置されている。シャッタ６０は、前後方向に延び、搬送管５２の周面に沿うように左右方向両端部が上方へ湾曲した底面視略矩形の板形状を有している。シャッタ６０は、前後方向に沿って、開口５９を閉鎖する閉位置（図９Ａ参照）と、開口５９を開放する開位置（図９Ｂ参照）とを移動する。シャッタ６０は、図示しない付勢部材によって、常には、閉位置へ向かって付勢されている。シャッタ６０は、当接リブ６０Ａを備えている。
【００８５】
当接リブ６０Ａは、シャッタ６０の前端部から下方へ突出し、左右方向に延びる略平板形状を有している。
【００８６】
複数の接続部５３のそれぞれは、図５に示すように、搬送管５２の上方において、前後方向に互いに間隔を隔てて配置されている。複数の接続部５３のそれぞれは、複数のドラムクリーナ３２のそれぞれに対応して、具体的には、４つ、配置されている。複数の接続部５３のそれぞれは、挿入部５４と、連通部５５と、固定部５６とを備えている。
【００８７】
挿入部５４は、図５および図６Ｂに示すように、接続部５３の前上端部に配置されている。挿入部５４は、左右方向に延び、左端部が開放され、右端部が閉鎖された略円筒形状を有している。挿入部５４は、ドラムクリーナ３２の廃トナー搬送部８８の右端部を閉鎖するように、シール部材６１を介して、ドラムクリーナ３２の廃トナー搬送部８８の右端部に接続されている。第１スクリュー８３の右端部は、挿入部５４内に挿入されている。
【００８８】
連通部５５は、図５および図７Ｂに示すように、除電部材８４の後方ににおいて、挿入部５４の後下方に配置されている。連通部５５は、上下方向に延びる略角筒形状を有している。連通部５５の前上端部は、挿入部５４の後下端部に連通している。連通部５５の下端部は、搬送管５２の上端部に連通している。
【００８９】
固定部５６は、図５に示すように、接続部５３の後上端部に配置されている。固定部５６は、連通部５５の右端部から上方へ延びる側面視略矩形の板形状を有している。固定部５６は、ねじ挿通穴５６Ａを有している。
【００９０】
ねじ挿通穴５６Ａは、固定部５６の中央に配置されている。ねじ挿通穴５６Ａは、固定部５６を左右方向に貫通している。複数の接続部５３のそれぞれのうちの最前方の接続部５３のねじ挿通穴５６Ａは、側面視略円形状を有している。最前方の接続部５３以外の接続部５３のねじ挿通穴５６Ａは、前後方向に延びる側面視略長穴形状を有している。ねじ挿通穴５６Ａは、対応する内側板３１のねじ挿通穴２９、および、対応するクリーナフレーム８１のねじ穴８１Ｂと左右方向に向かい合っている。固定部５６は、ねじ５０が内側板３１のねじ挿通穴２９と固定部５６のねじ挿通穴５６Ａとを介してクリーナフレーム８１のねじ穴８１Ｂに螺合されることにより、右方の内側板３１とともにクリーナフレーム８１の右壁に固定されている。
【００９１】
最前方の接続部５３は、側面視略円形状を有しているため、上下方向および前後方向の両方において、対応するクリーナフレーム８１に対する廃トナー搬送部材５１の移動を規制する。最前方の接続部５３以外の接続部５３は、前後方向に延びる側面視略長穴形状を有しているため、前後方向において、対応するクリーナフレーム８１に対する廃トナー搬送部材５１の移動を許容し、上下方向において、対応するクリーナフレーム８１に対する廃トナー搬送部材５１の移動を規制する。
【００９２】
第２スクリュー５７は、図７Ｂに示すように、搬送管５２内に配置されている。第２スクリュー５７は、前後方向に延びるオーガスクリューである。すなわち、第２スクリュー５７の中心軸線Ａ３は、前後方向に延びている。第２スクリュー５７は、上下方向に投影したときに、右フランジ部材４２Ｒの小径部４４、および、除電部材８４の右端部と重なる。また、第２スクリュー５７の上方半分は、左右方向に投影したときに、ドラム本体４１の下端部と重なる。第２スクリュー５７の前端部は、搬送管５２の前壁に相対回転可能に支持されている。第２スクリュー５７の後端部は、搬送管５２の後壁に相対回転可能に支持されるとともに、搬送管５２の後壁を貫通して、搬送管５２の後壁から後方へ突出している。
【００９３】
第２スクリューギア５８は、搬送管５２の後端部に相対回転可能に支持されるとともに、第２スクリュー５７の後端部を相対回転不能に支持している。第２スクリューギア５８は、前後方向に延びる略円柱形状を有し、その周面すべてにわたってはす歯を有している。
【００９４】
複数のシール部材６１のそれぞれは、図５および図６Ｂに示すように、複数のドラムクリーナ３２のそれぞれに対応して、具体的には、４つ、配置されている。複数のシール部材６１のそれぞれは、対応するドラムクリーナ３２の廃トナー搬送部８８と、対応する挿入部５４との間に圧縮状態で配置されている。これにより、複数のシール部材６１のそれぞれは、対応するドラムクリーナ３２の廃トナー搬送部８８と、対応する挿入部５４との間をシールしている。複数のシール部材６１のそれぞれは、スポンジなどの弾性部材からなり、側面視略矩形の平板形状を有している。複数のシール部材６１のそれぞれは、挿通穴６２を有している。
【００９５】
挿通穴６２は、シール部材６１の中央に配置されている。挿通穴６２は、シール部材６１を左右方向に貫通し、前後方向に延びる側面視略長穴形状を有している。
（４）回転部材
回転部材９１は、図２および図８に示すように、ドラムユニット９の後端部に配置されている。回転部材９１は、駆動シャフト９３と、カップリング部材９２と、ウォームギア９４とを備えている。
【００９６】
駆動シャフト９３は、左右方向に延びる略円柱形状を有している。すなわち、駆動シャフト９３の中心軸線Ａ４は、左右方向に延びている。駆動シャフト９３の左右方向両端部のそれぞれは、最後方のクリーナフレーム８１の１対の支持板９５のそれぞれに回転可能に支持されている。なお、１対の支持板９５のそれぞれは、最後方のクリーナフレーム８１の左右方向両端部のそれぞれから後方へ向かって延びる略板形状を有している。
【００９７】
カップリング部材９２は、回転部材９１の左端部に配置されている。カップリング部材９２は、左右方向に延びる略円柱形状を有している。カップリング部材９２は、駆動シャフト９３と中心軸線Ａ４を共有している。カップリング部材９２は、駆動シャフト９３の左端部に相対回転不能に支持されている。また、カップリング部材９２は、外側板３６の後下端部において、貫通穴３６Ｂ（後述、図３参照）内に回転可能に支持されている。すなわち、カップリング部材９２は、複数の感光ドラム１１のそれぞれのドラム本体４１よりも左方に配置されている。カップリング部材９２は、装置本体２内の本体カップリング７３に相対回転不能に嵌合するように構成されている。
【００９８】
ウォームギア９４は、回転部材９１の右端部に配置されている。ウォームギア９４は、左右方向に延びる略円柱形状を有している。ウォームギア９４は、駆動シャフト９３と中心軸線Ａ４を共有している。ウォームギア９４は、駆動シャフト９３の左端部に相対回転不能に支持されている。ウォームギア９４は、その周面にねじ山状のギア歯を有している。ウォームギア９４は、第２スクリューギア５８の上端部に噛み合っている。
（５）前板、後板および外側板
前板３４は、図２に示すように、ドラムユニット９の前端部に配置されている。前板３４は、左右方向に長い正面視略矩形の平板形状を有している。前板３４は、１対の内側板３１の前端部間に架設されている。前板３４は、前把持部３４Ａを備えている。
【００９９】
前把持部３４Ａは、前板３４の左右方向中央に配置されている。前把持部３４Ａは、前板３４の前面から前方へ突出し、左右方向に延びる略板形状を有している。
【０１００】
後板３５は、ドラムユニット９の後端部に配置されている。後板３５は、左右方向に長い正面視略矩形の平板形状を有している。後板３５は、１対の内側板３１の後端部間に架設されている。後板３５は、後把持部３５Ａを備えている。
【０１０１】
後把持部３５Ａは、後板３５の上端部に配置されている。後把持部３５Ａは、後板３５の上面から前上方へ突出し、左右方向に延びている。後把持部３５Ａは、背面視略矩形の枠形状を有している。後把持部３５Ａは、搬送管５２の開口５９よりも前方に配置されている（図１０参照）。
【０１０２】
１対の外側板３６のぞれぞれは、１対の内側板３１のそれぞれの左右方向外方に配置されている。１対の外側板３６のそれぞれは、樹脂からなり、１対の内側板３１のそれぞれよりも上下方向に幅広な側面視略矩形の平板形状を有している。左方の外側板３６は、図３に示すように、ドラムカップリング４５のカップリング部４５Ａが回転可能に嵌まる貫通穴３６Ａと、回転部材９１のカップリング部材９２が回転可能に嵌まる貫通穴３６Ｂとを有している。左方の外側板３６は、図６Ａに示すように、貫通穴３６Ａの周縁部において、ドラムカップリング４５の鍔部４５Ｂの左方に向かい合っている。
３．装置本体の構成
装置本体２は、図１１Ｂに示すように、廃トナー収容部２３と、本体基準軸７０とを備えている。
【０１０３】
廃トナー収容部２３は、転写ユニット５の下方に配置されている。廃トナー収容部２３は、略ボックス形状を有している。廃トナー収容部２３は、導入管２３Ａと、干渉部２３Ｂとを備えている。
【０１０４】
導入管２３Ａは、廃トナー収容部２３の後端部の右端部に配置されている。導入管２３Ａは、上下方向に延びる略筒形状を有している。導入管２３Ａの上端部は、開放されている。導入管２３Ａの下端部は、廃トナー収容部２３の内部空間に連通している。
【０１０５】
干渉部２３Ｂは、導入管２３Ａの上端部に配置されている。干渉部２３Ｂは、導入管２３Ａの上端部から前方へ延びる略板形状を有している。
【０１０６】
本体基準軸７０は、装置本体２の後端部内に配置されている。本体基準軸７０は、金属からなり、左右方向に延びる略円柱形状を有している。
４．ドラムユニットの着脱動作
ドラムユニット９が、装置本体２内において装着位置に装着されているときには、図１０Ａに示すように、左右の内側板３１のそれぞれの切欠部３０は、本体基準軸７０の左右方向両端部のそれぞれに嵌まっている。これにより、ドラムユニット９は、装着位置に位置決めされている。
【０１０７】
このとき、複数の感光ドラム１１のそれぞれは、搬送ベルト１７の上方部分に接触している。搬送管５２のシャッタ６０は、開位置に配置されている。シャッタ６０の当接リブ６０Ａは、廃トナー収容部２３の干渉部２３Ｂの前端部に当接している。搬送管５２の開口５９は、廃トナー収容部２３の導入管２３Ａの上端部に連結されている。搬送管５２は、開口５９を介して、廃トナー収容部２３の導入管２３Ａの上端部に連通している。
【０１０８】
そして、ドラムユニット９を引出位置に引き出すには、図１０Ｂに示すように、作業者は、まず、装置本体２のフロントカバー２２を開放する。
【０１０９】
すると、フロントカバー２２の開動作に連動して、図示しない押圧部材により、ドラムユニット９の前端部が上方へ押圧される。すると、ドラムユニット９の前端部は、最前方の感光ドラム１１が搬送ベルト１７の上方部分からわずかに上方へ離間するように、わずかに上方へ移動する。これにより、ドラムユニット９は、前端部が後端部に対してわずかに上方に位置するように傾斜する。
【０１１０】
次いで、ドラムユニット９を引出位置に引き出すには、図１１Ａに示すように、作業者は、ドラムユニット９の前把持部３４Ａを把持して、ドラムユニット９を前方へ引き出す。
【０１１１】
すると、ドラムユニット９は、図示しないガイドによって案内されて、わずかに前上方へ移動する。
【０１１２】
このとき、ドラムユニット９の後端部は、図示しないガイドによって案内されながら、最後方の感光ドラム１１が搬送ベルト１７の上方部分から上方へ離間するように、ドラムユニット９の前端部よりも大きく前上方へ移動する。
【０１１３】
これにより、ドラムユニット９は、すべての感光ドラム１１が搬送ベルト１７から離間した離間位置に配置される。
【０１１４】
このとき、ドラムユニット９は、水平に支持されている。シャッタ６０の当接リブ６０Ａと、廃トナー収容部２３の干渉部２３Ｂは、前後方向から見て重なっている。シャッタ６０は、当接リブ６０Ａが廃トナー収容部２３の干渉部２３Ｂの前端部に当接した状態で、ドラムユニット９の前方への移動に伴って、図示しない付勢部材の付勢力により、わずかに閉位置に向かって後方へ移動している。
【０１１５】
次いで、ドラムユニット９を引出位置に引き出すには、作業者は、ドラムユニット９の前把持部３４Ａを把持して、ドラムユニット９をさらに前方へ引き出す。
【０１１６】
すると、シャッタ６０は、ドラムユニット９の前方への移動に伴って、図示しない付勢部材の付勢力により後方へ移動し、閉位置に位置する。
【０１１７】
そして、後把持部３５Ａが開口部２１から前方へ露出されるまでドラムユニット９を引き出すと、図示しないストッパにより、ドラムユニット９の前方へのそれ以上の移動が規制される。これにより、図１１Ｂに示すように、ドラムユニット９は、引出位置に位置する。
【０１１８】
このとき、ドラムユニット９の後端部、具体的には、後把持部３５Ａよりも後方の部分は、装置本体２内に配置されている。つまり、搬送管５２の開口５９は、装置本体２内に配置されている。
【０１１９】
これにより、ドラムユニットの引き出し動作が完了する。
【０１２０】
また、ドラムユニット９を装着位置に装着するには、上記した引き出し動作と逆に、ドラムユニット９を操作する。
【０１２１】
詳しくは、作業者は、ドラムユニット９の前把持部３４Ａを把持して、ドラムユニット９を後方へ押し込む。
【０１２２】
すると、ドラムユニット９は、後方へ移動する。すると、ドラムユニット９が離間位置に位置する前において、シャッタ６０の当接リブ６０Ａが、廃トナー収容部２３の干渉部２３Ｂの前端部に前方から当接する。
【０１２３】
そして、作業者がドラムユニット９をさらに後方へ押し込むと、シャッタ６０は、ドラムユニット９の後方への移動に伴って、図示しない付勢部材の付勢力に抗して、開位置に向かって前方へ移動する。
【０１２４】
そして、図１１Ａに示すように、ドラムユニット９が離間位置に位置すると、開口５９は、ほぼすべて開放された状態で、廃トナー収容部２３の導入管２３Ａの上方に向かい合う。
【０１２５】
次いで、作業者がドラムユニット９をさらに後方へ押し込むと、ドラムユニット９は、図示しないガイドによって案内されて、後下方へ移動し、図１０Ｂに示すように、前端部が後端部に対してわずかに上方に位置するように傾斜した状態で、装着位置に位置する。
【０１２６】
このとき、搬送管５２のシャッタ６０は、開位置に配置される。搬送管５２の開口５９は、廃トナー収容部２３の導入管２３Ａの上端部に連結される。
【０１２７】
そして、作業者がフロントカバー２２を閉めると、図１０Ａに示すように、フロントカバー２２の閉動作に連動して、図示しない押圧部材によるドラムユニット９の前端部に対する押圧が解除され、ドラムユニット９の前端部が下方へ移動する。すると、すべての感光ドラム１１が搬送ベルト１７の上方部分に接触される。
【０１２８】
これにより、ドラムユニット９の装着動作が完了する。
５．第１スクリューおよび第２スクリューへの駆動伝達
上記したドラムユニット９の装着動作が完了すると、図６Ａに示すように、フロントカバー２２の閉動作に連動して、装置本体２の本体カップリング７１が右方に進出して、感光ドラム１１のドラムカップリング４５に嵌まる。
【０１２９】
また、図８に示すように、装置本体２の本体カップリング７３が右方に進出して、回転部材９１のカップリング部材９２に嵌まる。
【０１３０】
そして、上記した画像形成動作が開始されると、装置本体２の本体カップリング７１を介して感光ドラム１１のドラムカップリング４５に駆動力が入力されるとともに、装置本体２の本体カップリング７３を介して、回転部材９１のカップリング部材９２に駆動力が伝達される。
【０１３１】
すると、感光ドラム１１が回転するとともに、回転部材９１が回転する。
【０１３２】
感光ドラム１１が回転すると、左フランジ部材４２Ｌのギア部４３Ａを介して、第１スクリューギア８０に駆動力が伝達され、第１スクリューギア８０が回転する。
【０１３３】
また、回転部材９１が回転すると、ウォームギア９４を介して、第２スクリューギア５８に駆動力が伝達され、第２スクリューギア５８が回転する。
６．ドラムクリーニング動作
上記した画像形成動作において、トナー像が用紙Ｐに転写された後、感光ドラム１１の表面には、用紙Ｐに転写されずに残存したトナー（残トナー）や、用紙Ｐから付着した紙粉などが付着する場合がある。
【０１３４】
残トナーや紙粉などの付着物は、図７Ａに示すように、感光ドラム１１の回転に伴って、クリーニングブレード８２によって感光ドラム１１の表面から掻き取られ、廃トナー搬送部８８内に貯留される。
【０１３５】
廃トナー搬送部８８内に貯留された付着物は、図６Ｂに示すように、第１スクリュー８３によって右方へ搬送され、廃トナー搬送部材５１の挿入部５４内に供給される。
【０１３６】
挿入部５４に供給された付着物は、図７Ｂに示すように、連通部５５内を下方へ落下し、搬送管５２内に供給される。
【０１３７】
搬送管５２内に供給された付着物は、第２スクリュー５７によって後方へ搬送され、図１０Ａに示すように、開口５９を介して廃トナー収容部２３に供給される。
７．特許請求の範囲との対応関係
上記の実施形態において、プリンタ１は、画像形成装置の一例である。前後方向は、交差方向の一例である。左右方向は、軸線方向の一例である。装着位置は、収容位置の一例である。引出位置は、外方位置の一例である。ドラムユニット９は、支持部材の一例である。ドラム本体４１は、本体部の一例である。ドラムカップリング４５は、第２駆動受け部の一例である。ギア部４３Ａは、第１ギアの一例である。クリーニングブレード８２は、クリーニング部材の一例である。第１スクリュー８３は、第１搬送部材の一例である。第１スクリューギア８０は、第２ギアの一例である。第２スクリュー５７は、第２搬送部材の一例である。第２スクリューギア５８は、第２駆動伝達部材の一例である。第２スクリュー５７の中心軸線Ａ３は、第２回転軸線の一例である。駆動シャフト９３は、第１駆動伝達部材の一例である。カップリング部材９２は、第１駆動受け部の一例である。駆動シャフト９３の中心軸線Ａ４は、第１回転軸線の一例である。
８．作用効果
（１）このプリンタ１によれば、図８に示すように、回転部材９１は、左方からカップリング部材９２に入力された駆動力によって、左右方向に延びる中心軸線Ａ３について回転する。すると、第２スクリューギア５８は、駆動シャフト９３からの駆動力によって、前後方向に延びる中心軸線Ａ３について回転する。
【０１３８】
これにより、左方から入力された駆動力によって、後方に付着物を搬送する第２スクリュー５７を駆動することができる。
（２）このプリンタ１によれば、図８に示すように、回転部材９１は、ウォームギア９４を有し、はす歯を有する第２スクリューギア５８は、ウォームギア９４に噛み合っている。
【０１３９】
そのため、回転部材９１にウォームギア９４を設け、はす歯を有する第２スクリューギア５８と噛合させるという簡易な構成で、左方から入力された駆動力を第２スクリューギア５８に伝達することができる。
（３）このプリンタ１によれば、図８に示すように、感光ドラム１１のドラム本体４１に対して、左方に回転部材９１のカップリング部材９２が配置され、右方に第２スクリュー５７が配置される構成において、左方から入力された駆動力を、右方の第２スクリュー５７に伝達することができる。
（４）このプリンタ１によれば、図８に示すように、第１スクリュー８３は、左端部の第１スクリューギア８０において駆動力を受ける。
【０１４０】
そのため、第１スクリュー８３に入力される駆動力と同じ左方から回転部材９１のカップリング部材９２に駆動力を入力し、第２スクリュー５７を駆動することができる。
【０１４１】
その結果、装置本体２からの駆動力を受ける構成を、左方に集約することができる。
（５）このプリンタ１によれば、図２に示すように、ドラムユニット９は、最後方のクリーナフレーム８１の１対の支持板９５によって、駆動シャフト９３の左右方向両端部を支持している。
【０１４２】
そのため、駆動シャフト９３を、左右方向にわたって安定に支持することができる。
（６）このプリンタ１によれば、図６Ａに示すように、複数の感光ドラム１１のそれぞれは、左方から駆動力を受けるドラムカップリング４５を有している。
【０１４３】
そのため、感光ドラム１１に駆動力が入力される方向と同じ方向から回転部材９１のカップリング部材９２に駆動力を入力し、第２スクリュー５７を駆動することができる。
【０１４４】
その結果、装置本体２からの駆動力をうける構成を、左方に集約することができる。
（７）このプリンタ１によれば、図８に示すように、複数の感光ドラム１１のそれぞれの左フランジ部材４２Ｌは、ギア部４３Ａを備えている。複数の第１スクリュー８３のそれぞれは、ギア部４３Ａと噛み合う第１スクリューギア８０を備えている。
【０１４５】
そのため、簡易な構成で、感光ドラム１１に入力された駆動力を利用して第１スクリュー８３を駆動させることができる。
（８）このプリンタ１によれば、図２に示すように、回転部材９１は、複数の感光ドラム１１よりも後方に配置されている。
【０１４６】
そのため、複数の感光ドラム１１の後方のスペースを利用して、回転部材９１を効率よく配置することができる。
（９）このプリンタ１によれば、図８に示すように、回転部材９１は、簡易な構成で、左方からの駆動力をカップリング部材９２で受けて、左右方向に延びる中心軸線Ａ３について回転することができる。
【０１４７】
また、プロセスユニット３は、内側板３１の切欠部６９が装置本体１２の本体基準軸７０に前方から嵌合することにより、装置本体１２内において装着位置に位置決めされる。
【０１４８】
そして、この状態で、回転部材９１は、左方からの駆動力を受ける。すなわち、プロセスユニット３が位置決めされる前後方向と直交する左右方向から、回転部材９１に駆動力が入力される。
【０１４９】
そのため、回転部材９１に駆動力が入力されるときに、装置本体１２に対するプロセスユニット３の位置決めが阻害されることを防止できる。
６．変形例
（１）上記した実施形態では、回転部材９１の右端部にウォームギア９４を設け、第２スクリューギア５８をウォームギア９４と噛み合うはす歯ギアとして構成しているが、例えば、図１２に示すように、回転部材９１の右端部に第１の傘歯ギア１０２を設け、第２スクリューギア１０３に、第１の傘歯ギア１０２と噛み合う第２の傘歯ギア１０３Ａを設けることもできる。
（２）また、上記した実施形態では、ドラムユニット９を離間位置に配置した状態で、シャッタ６０は、開位置から閉位置へわずかに移動した位置に配置されているが、図１３Ｂに示すように、ドラムユニット９を離間位置に配置した状態で、シャッタ１１１が閉位置に配置されるように構成することもできる。
【０１５０】
詳しくは、シャッタ１１１の右端部の後端部から右方へ突出する略円柱形状のボス１１２を設けるとともに、装置本体２の右端部内にボス１１２と係合可能な傾斜リブ１１３を設ける。
【０１５１】
ドラムユニット９が装着位置に位置しているときには、図１３Ａに示すように、ボス１１２が傾斜リブ１１３の下端部に接触することにより、シャッタ１１１が開位置に配置される。
【０１５２】
ドラムユニット９を装着位置から上方へ移動させて離間位置に位置させると、図１３Ｂに示すように、図示しない付勢部材の付勢力によって、ボス１１２が傾斜リブ１１３の傾斜に沿って後上方へ摺動するように、シャッタ１１１が開位置から閉位置へ移動する。
（３）また、上記した実施形態では、画像形成装置１をダイレクトタンデム型カラーレーザプリンタとして構成したが、例えば、図１４に示すように、中間転写ベルト１２１と二次転写ローラ１２２とを有する中間転写型カラープリンタ１として構成することもできる。
【０１５３】
この場合、画像形成動作において、中間転写ベルト１２１は、その上方部分が後方から前方へ向かって移動するように周回移動される。
【０１５４】
そして、感光ドラム１１の表面に担持されたトナー像は、中間転写ベルト１２２の上方部分に一次転写された後、中間転写ベルト１２２の周回移動により、複数の転写ローラ１８の下方を通って前方から後方へ搬送され、駆動ローラ１５と二次転写ローラ１２２との間に供給される。
【０１５５】
一方、用紙Ｐは、給紙トレイ７から後上方へ搬送され、所定のタイミングで、駆動ローラ１５と二次転写ローラ１２２との間に供給される。
【０１５６】
このとき、中間転写ベルト１２２上のトナー像は、用紙Ｐに転写される。そして、用紙Ｐが加熱ローラ１９と加圧ローラ２０との間を通過するときに、用紙Ｐ上のトナー像が用紙Ｐに熱定着される。その後、用紙Ｐは、排紙トレイ８に排紙される。
（４）また、上記した実施形態では、ドラムユニット９が離間位置に移動し、その後、離間位置から引出位置へ移動するときに、シャッタ６０が閉位置に配置されるが、ドラムユニット９を装着位置からわずかに前方へ移動させてシャッタ６０を閉位置に配置させた後に、ドラムユニット９を離間位置に位置させ、その後、離間位置から引出位置へ移動させることもできる。
（５）また、上記した実施形態では、内側板３１は、感光ドラム１１のフランジ部材４２の小径部４４を支持しているが、小径部４４の代わりに、感光ドラム１１の中心に相通されるドラムシャフトを設け、内側板３１は、ドラムシャフトを支持することもできる。
【０１５７】
また、上記した実施形態では、搬送管５２を前後方向に沿って配置しているが、搬送管５２を前後方向に対して傾斜するように配置することもできる。具体的には、搬送管５２を、後端部が前端部よりも下方に配置されるように傾斜させることもできる。
【０１５８】
また、上記した実施形態では、第１搬送部材およぶ第２搬送部材の一例としてオーガスクリューを挙げたが、第１搬送部材およぶ第２搬送部材は、らせん状のばね部材からなるスクリューを適用することもできる。
【０１５９】
また、上記した実施形態では、クリーニング部材の一例として、左右方向に延びる板形状のクリーニングブレード８２を挙げたが、クリーニング部材としては、例えば、左右方向に延びる略円柱形状のクリーニングローラを適用することもできる。
【０１６０】
これらの変形例においても、上記した実施形態と同様の作用効果を得ることができる。
【符号の説明】
【０１６１】
１        プリンタ
２        装置本体
９        ドラムユニット
１１      感光ドラム
４１      ドラム本体
４５      ドラムカップリング
５７      第２スクリュー
５８      第２スクリューギア
８２      クリーニングブレード
８３      第１スクリュー
９２      カップリング部材
９３      駆動シャフト
９４      ウォームギア
９５      支持板
１０２    第１の傘歯ギア
１０３    第２スクリューギア
１０３Ａ  第２の傘歯ギア
Ａ３      中心軸線
Ａ４      中心軸線
【図１】
2015194653.tif 000003
【図２】
2015194653.tif 000004
【図３】
2015194653.tif 000005
【図４】
2015194653.tif 000006
【図５】
2015194653.tif 000007
【図６】
2015194653.tif 000008
【図７】
2015194653.tif 000009
【図８】
2015194653.tif 000010
【図９】
2015194653.tif 000011
【図１０】
2015194653.tif 000012
【図１１】
2015194653.tif 000013
【図１２】
2015194653.tif 000014
【図１３】
2015194653.tif 000015
【図１４】
2015194653.tif 000016